(57)【要約】      （修正有）【課題】資源の無駄を省き、構造が簡単で、包装箱としてだけでなく各種品物を収納するためのインテリア用品としても組立が容易で、丈夫な上、インテリア用品として使用する際は持ち運びに便利な把持部を備えた包装箱を提供する。【解決手段】横断面が長方形または正方形からなる角筒状胴部３の両端面に開閉可能な蓋２，８を有する直方体の包装箱で、胴部３の両端面間を結ぶ軸方向の中間部において、胴部３の正面４の軸方向に直交する方向に一定間隔をあけて平行する一対のミシン目１５，１５を入れるとともに、胴部３の両側面６，７に各ミシン目１５端から胴部３の背面５に向け二等辺三角形状にミシン目１６を入れ、胴部３の背面５に二等辺三角形状ミシン目１６の交点間の両側部を直線状折り曲げ線１７で接続し、かつ交点間の中央部で把持部を形成するように凹状に連続するミシン目１８を、両側の直線状折り曲げ線１７に接続して入れている。【選択図】図１
0003157012.tif 000002
【実用新案登録請求の範囲】
【請求項１】
横断面が長方形または正方形からなる角筒状胴部の一端面または対向する両端面に開閉可能な蓋を有する直方体または立方体の包装箱であって、
前記胴部の両端面間を結ぶ軸方向の中間位置において、前記胴部正面の軸方向に直交する方向に一定間隔をあけて平行する一対のミシン目を入れるとともに、前記胴部の両側面に前記各ミシン目端から前記胴部の背面に向け二等辺三角形状にミシン目を入れ、  前記胴部の背面に前記二等辺三角形状ミシン目の交点間の両側部を直線状の折れ目線で接続しかつ前記交点間の中央部で把持部を形成するように凹状に連続するミシン目を前記両側の直線状折り曲げ線に接続して入れたことを特徴とする包装箱。
【請求項２】
一枚の厚紙または厚紙状の包装資材を組み立てて形成される直方体または立方体の包装箱であって、
矩形状の底面と、この底面に対向する矩形状の上面と、前記底面と上面間を結ぶ横断面が長方形または正方形からなる角筒状箱本体とを備え、
前記底面または前記上面の少なくとも一方は開閉可能であり、
前記箱本体の軸方向の中間位置において、前記箱本体の正面にその軸方向に直交する方向に一定間隔をあけて平行する一対のミシン目を入れるとともに、前記箱本体の両側面に前記各ミシン目端から前記箱本体の背面に向け二等辺三角形状にミシン目を入れ、前記箱本体の背面に前記二等辺三角形状ミシン目の交点間の両側部を直線状に折れ曲げ線で接続しかつ前記交点間の中央部で把持部を形成するように凹状に連続するミシン目を前記両側の直線状折れ曲げ線に接続して入れたことを特徴とする包装箱。
【請求項３】
前記箱本体が、正面と、その正面の対向する二側辺にそれぞれ連続する一対の側面と、それらの側面のうち一方の側面の一側辺に連続する背面と、他方の側面の一側辺に連続し前記背面の一側縁部に接着されるのりしろ辺部とを有し、
前記底面は前記正面の下端辺に連続するとともに、前記上面は前記正面の上端辺に連続し、
前記底面および前記上面は折り曲げ辺部をそれぞれ備え、各折り曲げ辺部の折り曲げ線の中央部に切れ目を入れ、各切れ目に挿入可能な挿入片を前記背面の下端辺の中央部および上端辺の中央部にそれぞれ連続して設けることを特徴とする請求項２記載の包装箱。
【請求項４】
前記包装箱が寝具の包装および搬送用筐体からなることを特徴とする請求項２または３記載の包装箱。
【請求項５】
前記包装材が表裏に色彩を施した段ボールからなることを特徴とする請求項２〜４のいずれか１項記載の包装箱。
【考案の詳細な説明】
【技術分野】
【０００１】
本考案は、毛布や布団などの商品を包装して購入者に搬送する商品の包装箱に関するもので、とくに使用後に小物入れなどのインテリアとして利用できる包装箱に関する。
【背景技術】
【０００２】
商品の包装箱は中に収納される商品を安全に購入者に届けたり、商品を収納して押し入れや倉庫などに保管したりするのに使用される。商品の種類によっては、従来、この種の包装箱は廃棄処分されることが多い。
【０００３】
上記のような寝具用の包装箱は嵩張るから、寝具を取り出した後に再利用されることはほとんどない。
【０００４】
この種の包装箱に関する先行技術として、商品の購入後においても、額縁や災害時用の収納箱など多目的に使用することができ、実用性に優れた箱が提案されている。この箱は、商品等の小物類を収納する収納容器と、この収納容器に被せる蓋体と、写真や絵画等の表示部を有して蓋体の上板に置かれる表示シートと、表示部に対応する位置に窓部を有して蓋体の上板に置かれる抜きマットとからなり、表示シートが、蓋体に対して着脱自在に構成されている（例えば、特許文献１参照）。
【先行技術文献】
【特許文献】
【０００５】
【特許文献１】特開２００５−３１３９９６号公報
【考案の概要】
【考案が解決しようとする課題】
【０００６】
本考案は商品の搬送や包装に使用された包装箱をインテリアとして再利用できるようにして、資源の無駄を省き、環境に優しく、構造が簡単で、包装箱としてだけでなく各種品物を収納するためのインテリア用品としても組立が容易で、丈夫な上、インテリア用品として使用する際は持ち運びに便利な把持部を備え、デザイン性にも優れた包装箱を提供しようとするものである。
【課題を解決するための手段】
【０００７】
上記の目的を達成するために本考案にかかる包装箱は、横断面が長方形または正方形からなる角筒状胴部の一端面または対向する両端面に開閉可能な蓋を有する直方体または立方体の包装箱であって、前記胴部の両端面間を結ぶ軸方向の中間部において、前記胴部正面の軸方向に直交する方向に一定間隔をあけて平行する一対のミシン目を入れるとともに、前記胴部の両側面に前記各ミシン目端から前記胴部の背面に向け二等辺三角形状にミシン目を入れ、前記胴部の背面に前記二等辺三角形状ミシン目の交点間の両側部を直線状の折れ曲げ線で接続しかつ前記交点間の中央部で把持部を形成するように凹状に連続するミシン目を前記両側の直線状折り曲げ線に接続して入れたことを特徴とする。
【０００８】
上記構成を備えた本発明の包装箱によれば、たとえば毛布などの商品を購買者に届ける場合は、包装箱の一端面の蓋を開放し、その開放口から商品を包装箱内に収納して蓋を閉じた状態で購買者へ送り届けることができる。一方、購買者は前記商品を包装箱から取り出して使用後、保管用の包装箱として使用することができる。また、商品の種類などによって包装箱が不要な場合は、包装箱の両端面の蓋を閉じた状態において、胴部正面の平行する一対の直線状のミシン目から両側面の二等辺三角形状のミシン目に沿って破断するとともに、胴部背面の凹状に連続するミシン目に沿って破断し、この状態で直線状の折れ曲げ線に沿って胴部背面同士が接合されるように折り曲げることにより、上端を開口した一対の収納部とこれらの収納部間から上方に突出する把持部とが形成され、収納用のインテリア用品（収納用品）が作製できる。したがって、一対の収納部には上端の開口から書籍や新聞紙などを収納し、また収納した状態でも把持部を持って持ち運ぶことができるので便利である。しかも、各収納部は平坦な底面を有しており、各場所に移動しても安定して載置することができる。
【０００９】
請求項２にかかる包装箱は、一枚の厚紙または厚紙状の包装資材を組み立てて形成される直方体または立方体の包装箱であって、矩形状の底面と、この底面に対向する矩形状の上面と、前記底面と上面間を結ぶ横断面が長方形または正方形からなる角筒状箱本体とを備え、前記底面または前記上面の少なくとも一方は開閉可能であり、前記箱本体の軸方向の中間位置において、前記箱本体の正面にその軸方向に直交する方向に一定間隔をあけて平行する一対のミシン目を入れるとともに、前記箱本体の両側面に前記各ミシン目端から前記箱本体の背面に向け二等辺三角形状にミシン目を入れ、前記箱本体の背面に前記二等辺三角形状ミシン目の交点間の両側部を直線状に折れ曲げ線で接続しかつ前記交点間の中央部で把持部を形成するように凹状に連続するミシン目を前記両側の直線状折れ曲げ線に接続して入れたことを特徴とする。
【００１０】
上記構成を備えた請求項２にかかる包装箱によれば、毛布をはじめ小物などの各種商品を購買者に届ける場合は、包装箱の上面の蓋を開放し、その開放口から商品を包装箱内に収納して蓋を閉じた状態で購買者へ送り届けることができる。一方、購買者は前記商品を包装箱から取り出して使用後、保管用の包装箱として使用することができる。また、商品の種類などによって包装箱が不要な場合は、包装箱の上面および底面の蓋を閉じた状態において、箱本体正面の平行する一対の直線状のミシン目から両側面の二等辺三角形状のミシン目に沿って破断するとともに、箱本体背面の凹状に連続するミシン目に沿って破断し、この状態で両側の直線状折れ曲げ線に沿って背面同士が接合されるように折り曲げることにより、上端を開口した一対の収納部とこれらの収納部間から上方に突出する把持部とを形成し、収納用のインテリア用品（収納用品）を作製することができる。
【００１１】
請求項３に記載のように、前記箱本体が、正面と、その正面の対向する二側端にそれぞれ連続する一対の側面と、それらの側面のうち一方の側面の一側に連続する背面と、他方の側面の一側に連続し前記背面の一側縁部に接着されるのりしろ辺部とを有し、前記底面は前記正面の下端辺に連続し、前記上面は前記正面の上端辺に連続し、前記底面および前記上面は折り曲げ辺部をそれぞれ備え、各折り曲げ辺部の折り曲げ線の中央部に切れ目を入れ、各切れ目に挿入可能な挿入片を前記背面の下端辺の中央部および上端辺の中央部にそれぞれ連続して設けることができる。
【００１２】
このようにすれば、のりしろ辺部を接着して箱本体を組み立てておけば、後は接着剤を用いずに箱本体の上面および底面を確実に閉塞したり開放したりできる。
【００１３】
請求項４に記載のように、前記包装箱が寝具の包装および搬送用筐体からなっていてもよい。
【００１４】
請求項５に記載のように、前記包装材が表裏に色彩を施した段ボールからなることが好ましい。
【００１５】
このようにすれば、包装箱を寝具などの商品の包装・搬送用筐体として使用する際に外観上の体裁がよいだけでなく、包装箱を本や他の品物の収納用インテリア用品として使用する場合に、汚れにくく外観が良好でデザイン性に優れている。
【考案の効果】
【００１６】
本考案にかかる包装箱には、つぎのような優れた効果がある。
【００１７】
・商品の搬送や包装に使用された包装箱をインテリア用品として再利用できる。
【００１８】
・包装箱としてだけでなく各種品物を収納するためのインテリア用品として再利用できるので、資源の無駄を省け、環境に優しい。
【００１９】
・インテリア用品は構造が簡単で、組立が容易で、丈夫な上、把持部を備えているので持ち運びに便利である。
【００２０】
・厚紙や段ボール紙など一枚の板状の包装資材から組み立てられるので、作製が容易で、比較的低コストで製造でき、また包装資材の両面に着色を施すことにより、デザイン性にも優れる。
【００２１】
・把持部両側の収納部は平坦な底面を有するので、各場所に移動しても安定して載置することができる。
【図面の簡単な説明】
【００２２】
【図１】本考案の実施の形態にかかる包装箱の組立前における１枚の段ボール紙を示す展開図である。
【図２】図１に示す１枚の段ボール紙から組み立てられた包装箱を示す背面側から見た斜視図で、上面を開放した状態を表している。
【図３】図１に示す１枚の段ボール紙から組み立てられた包装箱を示す正面側から見た斜視図で、上面を開放した状態を表している。
【図４】図２に示す包装箱を再利用するために書籍等の収納用インテリア用品に変形した状態を示す斜視図である。
【図５】図(ａ)は図３に示すインテリア用品の正面図、図(ｂ)は同側面図である。
【考案を実施するための最良の形態】
【００２３】
以下、本考案にかかる包装箱の実施の形態を図面に基づいて説明する。
【００２４】
図２および図３に示すように、本実施形態の包装箱１は直方体状の筐体からなり、上面の蓋２を開放してその開放口２Ａから商品が収納される。包装箱１は、図１に示す一枚の段ボール紙Ａから組み立てられる。この段ボール紙Ａは、表裏両面が着色されている。
【００２５】
図１に示すように段ボール紙Ａには、角筒体状の胴部（箱本体）３を構成する長方形状の側面７、背面５、側面６および正面４がこの順番に連続して配置され、各連接位置に直線状の折れ曲げ線ａ〜ｃが相互に平行して設けられている。側面６・７において、その上下両端の全長にわたり折り曲げ辺６ａまたは７ａがそれぞれ連続して設けられている。折り曲げ辺６ａまたは７ａと各側面６または７との連接位置には、直線状の折り曲げ線６ｂまたは７ｂが入れられている。正面４の上下両端の全長にわたり蓋２がそれぞれ連続して設けられている。各蓋２または８の先端には全長にわたり折り曲げ辺２ａまたは８ａが連続して設けられている。また、正面４の一側端の全長にわたりのりしろ辺９が連続して設けられている。背面５において、その上下両端の幅方向の中間部に挿入片５ａがそれぞれ設けられている。各挿入片５ａの基端部は背面５内に凹状に入り込み、挿入片５ａの基端部両側に切れ目５ｂがそれぞれ入れられている。また、挿入片５ａの先端部には、背面５の上端または下端の延長線上に折り曲げ線５ｃが入れられている。
【００２６】
さらに、正面４において、長手方向（上下方向）の中間部に所定の間隔をあけて破断用の一対の直線状ミシン目１５・１５が平行に形成されている。これらの各ミシン目１５・１５の両端から一方の側面６およびのりしろ辺９および他方の側面７において、背面５の長手方向の中間位置に向けて一対の直線状ミシン目１６・１６が二等辺三角形状に形成されている。また、背面５において、その両側の側面６・７のミシン目１６・１６の交点から背面５の長手方向の中間部に一対の直線状の折れ曲げ線１７・１７がそれぞれ入れられ、折れ曲げ線１７と１７の間に把持部１１を構成するための凹状のミシン目１８が入れられている。凹状ミシン目１７の内部（真ん中）に、長円形状の孔部１１ａを構成するためのミシン目１９が形成されている。
【００２７】
段ボール紙Ａの状態から包装箱１への組み立て作業は、図１の段ボール紙Ａの折れ曲げ線ａ〜ｄを全て内側に直角に折り曲げ、のりしろ辺９の表面に接着剤を塗布して反対側の側面７の裏面端縁部に貼り付けて上下を開放した角筒体状の胴部３を形成する。胴部３は縦長で、その長手方向（軸方向）に直交する横断面が長方形の角筒状枠体からなる。角筒体状の胴部３を組み立てた後、底面の蓋８の両側に位置する折り曲げ辺８ａを蓋８で覆い、先端部の折り曲げ辺８ａを底面側の開放口内に挿入して閉塞する。この状態で、蓋８の折り曲げ線８ｂの中央部に設けた切れ目（スリット）８ｃに、背面５下端側の挿入片５ａを差し込むことにより、開放されにくくする。
【００２８】
この状態で、上面側の開放口２Ａから毛布などの商品を挿入し、上面側の蓋２を折り曲げ線ｄに沿って内側に直角に折り曲げる。そして、先端部の折り曲げ辺２ａを折り曲げ線２ｂに沿って直角に折り曲げ、上面側の開放部２Ａ内に挿入して閉塞する。さらに、蓋２の折り曲げ線２ｂの中央部の切れ目２ｃに、背面５上端側の挿入片５ａを差し込むことにより、開放されにくくすることができる。このようにして、商品を包装箱１に収納して購入者に搬送したり、購入者は使用後の商品の保管したりできる。
【００２９】
一方、図２および図３に示すように、包装箱１の正面４の上下方向の中間部において間隔をあけて平行に２本のミシン目１５・１５が形成されている。また、上下のミシン目１５・１５の両端から側面６・７の背面５側にかけ、二等辺三角形状にミシン目１６・１６がそれぞれ形成されている。包装箱１の背面５には、図２に示すように幅方向の中央部にかけて折れ曲げ線１７・１７がそれぞれ設けられている。各折れ曲げ線１７・１７の内端に連続して、図２に示すように上向きの凹状（略Ｕ）にミシン目１８が形成されている。凹状のミシン目１８の中央部に横向きに長円形状の孔部１１ａが形成されるように長円形のミシン目１９が形成されている。なお、背面５の折れ曲げ線１７・１７の位置は、背面５を折れ曲げ線１７・１７に沿って二つ折りして接合させた状態で、両側の収納部１２・１３の底面２・８が同じ位置にくるように、背面５の上下方向の丁度中間位置にくるように設定されている。
【００３０】
購入者は包装箱１が不要になれば、つぎのような手順でインテリア用品（収納用品）として利用できる。
【００３１】
図３に示すように上下両面の開口部（開放口）を閉塞した包装箱１の正面４において、２本のミシン目１５・１５に沿って破断する。続いて、側面６・７およびのりしろ辺９において二等辺三角形状のミシン目１６・１６に沿って破断し切り取る。この状態で、図２に示すように凹状のミシン目１８に沿って破断し切り開きながら、背面５を両側の折れ曲げ線１７・１７に沿って上下の背面５が接触するように二つ折りする。また、長円形のミシン目１９に沿って孔部１１ａをくり抜き、把持部１１を形成する。このようにして、図４に示すように、把持部１１を中心にして両側に上端が全面に開口した収納部１２・１３を備えたインテリア用品１０が組み立てられる。包装箱１からインテリア用品１０へ変更するための組み立てについて、接着剤や結合金具などは一切不要で、ミシン目を破断するだけで簡単に組み立てることができる。さらに、本実施形態の包装箱１では、あらかじめ段ボール紙Ａの両面に色彩を施しているので、インテリア用品１０に組み立てた場合に、収納部１２・１３の内部および把持部１１の両面などについても着色された状態になるから、デザイン的にも非常に優れたものである。しかも、把持部１１が２つの収納部１２・１３の真ん中に位置しているので、持ち運びが容易であり、書籍や新聞紙以外にも、例えばビンや工具あるいは玩具など色々な品物を収納するインテリア用品として利用できる。
【００３２】
以上に本考案の包装箱について実施の形態を示したが、つぎのように実施することができる。
【００３３】
・包装箱は直方体だけでなく、立方体にすることが可能である。
【００３４】
・包装箱の材料としては、厚紙や段ボール紙のほか、厚紙状の樹脂板であってもよい。
【符号の説明】
【００３５】
１  包装箱
２・８  蓋
２Ａ開放口
２ａ折り曲げ辺
２ｂ折り曲げ線
２ｃ切れ目（スリット）
３  角筒体状胴部（箱本体）
４  正面
５  背面
５ａ挿入片
６・７  側面
８ａ折り曲げ辺
８ｂ折り曲げ線
８ｃ切れ目（スリット）
９  のりしろ辺
１０  インテリア用品（収納用品）
１１  把持部
１２・１３  収納部
１５・１６  ミシン目
１７  折れ曲げ線
１８・１９  ミシン目
Ａ  段ボール紙
ａ〜ｄ  折れ曲げ線
【図１】
0003157012.tif 000003
【図２】
0003157012.tif 000004
【図３】
0003157012.tif 000005
【図４】
0003157012.tif 000006
【図５】
0003157012.tif 000007